(57)【要約】【課題】より安全性の高い乗客コンベアを提供すること。【解決手段】本発明の一例の乗客コンベアは、斜め上方向又は斜め下方向に連結して移動する複数の踏み段と、これらの踏み段の移動方向の両側に設けられた仕切り板と、この仕切り板と前記踏み段により形成された傾斜路と上部水平路、又は下部水平路の間に形成された曲線部に少なくとも設けられ、前記仕切り板の内側下部において前記踏み段の移動方向に対して対向する斜め方向に向けて刷毛が突出して設けられた刷毛体とを有する。【選択図】図３
2011063422.tif 000002
【特許請求の範囲】
【請求項１】
斜め上方向又は斜め下方向に連結して移動する複数の踏み段と、
これらの踏み段の移動方向の両側に設けられた仕切り板と、
この仕切り板と前記踏み段により形成された傾斜路と上部水平路、又は下部水平路の間に形成された曲線部に少なくとも設けられ、前記仕切り板の内側下部において前記踏み段の移動方向に対して対向する斜め方向に向けて刷毛が突出して設けられた刷毛体とを有することを特徴とする乗客コンベア。
【請求項２】
前記刷毛体は、２種以上の硬さの刷毛から成ることを特徴とする請求項１記載の乗客コンベア。
【請求項３】
前記刷毛体は、長さの異なる刷毛から成ることを特徴とする請求項１又は２記載の乗客コンベア。
【請求項４】
前記刷毛体は、山形形状の刷毛から成ることを特徴とする請求項１又は２記載の乗客コンベア。
【請求項５】
斜め上方向又は斜め下方向に連結して移動する複数の踏み段と、
これらの踏み段の移動方向の両側に設けられた仕切り板と、
この仕切り板と前記踏み段により形成された傾斜路と上側水平路、又は下側水平路の間に形成された曲線部に少なくとも設けられ、前記仕切り板の内側下部において前記踏み段の移動方向に対して垂直な方向に刷毛が突出して設けられた刷毛体とを有することを特徴とする乗客コンベア。
【請求項６】
前記刷毛体は、２種以上の硬さの刷毛から成ることを特徴とする請求項５記載の乗客コンベア。
【請求項７】
前記刷毛体は、長さの異なる刷毛から成ることを特徴とする請求項５又は６記載の乗客コンベア。
【請求項８】
前記刷毛体は、山形形状の刷毛から成ることを特徴とする請求項５又は６記載の乗客コンベア。
【発明の詳細な説明】
【技術分野】
【０００１】
本発明は、斜め上下方向に移動する乗客コンベアに係り、特に階段側面とスカートガード側面の間に乗客の靴や携行物が挟まれることを防止するスカートガードに刷毛体を有する乗客コンベアに関する。
【背景技術】
【０００２】
乗客コンベアは、踏み段側面とスカートガード側面との接触を防止するため、数ミリのすき問を設けている。従来から、この隙間に乗客の靴などが挟まれる間題があった。特に最近では、樹脂製の靴が流行し、この靴が従来の靴に比べ挟まれやすいこともあり、靴が挟まれる事故が、多く見られている。
【０００３】
この挟まれは、上昇運転時には上階曲線部で発生しやすく、また下降運転時には下階曲線部で発生しやすい傾向にあることが知られている。
【０００４】
また、隙間が広いと当然、挟まれることが起きやすくなるため、建築基準法施行令でこの隙間を所定間隙以下となるよう規定されている。しかし、それでも挟まれることが発生するので、スカートガードに低摩擦剤を塗布するなどして、 挟まれる確率の低減を図っていた。
【０００５】
さらに、このわずかな隙間に乗客が誤って切符、定期券などの携行物を落としてしまい、携行物の紛失、乗客コンベア内部に異物が侵入してしまうという問題もあった。
【０００６】
上述のような問題があったため、スカートカードの側面に安全装置を備えて、踏み段側面とスカートガード側面の間に形成される僅かなすき間に乗客の靴が挟まれたり、携行物を落としてしまうことを防止するものが知られている(例えば、特許文献1参照)。
【先行技術文献】
【特許文献】
【０００７】
【特許文献１】特開２００４−２１７４１７号公報
【発明の概要】
【発明が解決しようとする課題】
【０００８】
上述のように、従来は踏み段側面とスカートガード側面の間に形成される僅かな隙間を、スカートガード安全装置の刷毛体で隠すことにより、靴が挟まれることの防止、携行物の侵入防止を行っていた。
【０００９】
しかし、通常上記刷毛体は、上階乗降口から下階乗降口まで同じもので構成しているため、乗客が感じる刷毛体と接触している感触は常に一定である。つまり、乗客がこの感触に慣れてしまうと、スカートガード安全装置の注意喚起効果が消えてしまい、その結果、乗客は無意識のうちに踏み段側面とスカートガード側面の間に形成されるわずかな隙間に近づいたとしても気がつかず、挟まれてしまう危険があった。
【００１０】
本発明は、上述のような課題を解決するためになされたもので、その目的は、より安全性の高い乗客コンベアを提供することにある。
【課題を解決するための手段】
【００１１】
本発明の請求項１によれば、斜め上方向又は斜め下方向に連結して移動する複数の踏み段と、これらの踏み段の移動方向の両側に設けられた仕切り板と、この仕切り板と前記踏み段により形成された傾斜路と上部水平路、又は下部水平路の間に形成された曲線部に少なくとも設けられ、前記仕切り板の内側下部において前記踏み段の移動方向に対して対向する斜め方向に向けて刷毛が突出して設けられた刷毛体とを有することを特徴とする乗客コンベアを提供する。
【発明の効果】
【００１２】
本発明によればより安全性の高い乗客コンベアが得られる。
【図面の簡単な説明】
【００１３】
【図１】本発明の実施形態で適用されるエスカレータの側面図である。
【図２】図１のエスカレータのＡ−Ａ断面図である。
【図３】本発明の第1の実施形態の刷毛体の状態を示す図である。
【図４】本発明の第２の実施形態の刷毛体の状態を示す図である。
【図５】本発明の第３の実施形態の刷毛体の状態を示す図である。
【図６】本発明の第４の実施形態の刷毛体の状態を示す図である。
【図７】本発明の第５の実施形態の刷毛体の状態を示す図である。
【発明を実施するための形態】
【００１４】
以下、本発明の実施の形態について、詳細に説明する。エスカレータ全体の側面図を図１に示す。このエスカレータのＡ−Ａ断面図を図２に示す。
【００１５】
このエスカレータ１０は、移動回転する踏み段１１と、この踏み段１１の両側に設けられ乗った乗客がつかまる手摺ベルト１１ａとを有する。エスカレータ１０は、傾斜路１０ａと、上階にあり端部に上乗降口がある上部水平路１０ｂと、下階にあり端部に下乗降口がある下部水平路１０ｃを有する。
【００１６】
傾斜路１０ａと上部水平路１０ｂの間には上階曲線部１０ｄがあり、傾斜路１０ａと下部水平路１０ｃとの間には下階曲線部１０ｅがある。
【００１７】
エスカレータ１０の傾斜路１０ａ、上階曲線部１０ｄ、上部水平路１０ｂ、下階曲線部１０ｅ、下部水平路１０ｃを移動する踏み段１１の両側には、仕切り板Ｓが形成される。この仕切り板Ｓは、踏み段１１の側面とわずかな隙間を有して配置される欄干の下部を構成するスカートガード１２、スカートガード１２の上部に固定される内レッジ１３、その上端が踏み段１１と同一方向に同一速度で連動するように制御される無端状の手摺ベルト１1aにより形成されている。
【００１８】
更に、スカートガードの安全装置１５が踏み段１１よりもわずかに上方となる位置で踏み段１１に沿うように、上下乗降口間に渡って設けられている。スカートガードの安全装置１５は、欄干の下部の踏み段１１側には、踏み段１1とスカートガード１２の間に形成されるわずかな隙間に、乗客の靴や携行品が挟まれることを防止する。また、安全装置１５は、 基台１６とこの基台１６に植立されて踏み段１１側に向けて突出する刷毛を有する刷毛体１7とにより構成されている。
【００１９】
この第１の実施形態では、この刷毛体１７の刷毛が仕切り板Ｓの内側下部において踏み段１１の移動方向の垂直な方向に対して対向する方向に斜めに向けて突出して設けられている点が特徴である。
【００２０】
この刷毛体１７の刷毛の向きを図３（ａ）及び図３（ｂ）を用いて説明する。図３（ａ）はエスカレータ１０が上り（上方向運転）のときの上階曲線部１０ｄの刷毛体１７の方向を示し、図３（ｂ）はエスカレータ１０が下り（下方向運転）のときの下階曲線部１０ｄの刷毛体１７の方向を示す。これらの刷毛体１７の刷毛は、その植設方向が明確に理解できるように、まばらに描いているが実際にはもっと密に設けられる。
【００２１】
まず、エスカレータ１０が上方向運転のときには、図３（ａ）に示すように連結した踏み段１１が矢印ＵＰ方向に移動している。点線は刷毛体１７に当る位置での乗客の靴１８の方向を示す。このとき基台１６に植設される刷毛体１７は、踏み段１１の移動方向の垂直な方向に対して対向する斜め方向に向けて設けられている。即ち刷毛体１７は、基台１６の垂直方向に対して踏み段１１の進行方向と直角な方向とはθ１だけ逆の方向（−θ１）に向けて設けられている。
【００２２】
エスカレータに乗っている乗客は、傾斜路１０ａから上部水平路１０ｂに移る上階曲線部１０ｄにおいて、履物、例えば靴１８の移動に逆らって刷毛体１７が靴に当ることになり、注意が喚起される。したがって、スカートガード１２に足を近づけないようにすることになり、スカートガード１２と踏み段１１の間に物を落とさないように注意することになる。
【００２３】
図３（ｂ）では、エスカレータが下方向に運転されている状態を示す。このときエスカレータの踏み段１１は矢印ＤＯＷＮ方向に移動しており、この下階曲線部１０ｅには踏み段１１の移動方向に垂直な方向に対して対向する斜め方向（−θ２）に向けて刷毛体の刷毛が植設されている。
【００２４】
したがってエレベータの乗客は傾斜部１０ａから下がってきて下階曲線部１０ｅで、上記の刷毛体１７に履いている靴１８が当たって注意を喚起され、乗客はスカートガード１２に足を近づけないようにすることになり、スカートガード１２と踏み段１１の間に物を落とさないように注意することになる。
【００２５】
このように、本発明のこの実施形態は、少なくとも上階曲線部と下階曲線部の刷毛体を構成する刷毛を踏み段の移動方向に対して対向する斜め方向に設けており、刷毛は均一の長さとなっている。
【００２６】
図４（ａ）（ｂ）に本発明の第２の実施形態の刷毛体の植設状況を示す。この実施形態は、刷毛体を構成する刷毛が２種類の硬さのものを用いている点で、上記第１の実施形態と異なる。他は上記第１の実施形態と同じである。
【００２７】
即ち、図４（ａ）に示すようにエレベータの上階曲線部１０ｄの下の基台に設けられる刷毛体２７の刷毛は２種類の硬さの毛で構成されている。硬さが２種類であることを図では太さにより表してある。
【００２８】
この実施形態でも、エスカレータの上階曲線部１０ｄにおいて、刷毛体２７の刷毛は、踏み段１１の移動方向ＵＰの垂直方向に対して対向する斜め方向（−θ１）方向に設けられている。したがって、エスカレータの乗客が下の階からから上の階に行くとき、踏み段１１の端のほうに乗っていると、エスカレータの上階曲線部１０ｄで自分の履物に及び足に、刷毛体が当たって注意を喚起される。
【００２９】
また、図４（ｂ）に示すように、刷毛体２７の刷毛は、エスカレータの下階曲線部１０ｅにおいて、踏み段１１の移動方向ＤＯＷＮの垂直方向に対して対向する斜め方向（−θ２）方向に設けられる。エスカレータの乗客が上の階から下の階に行くとき、踏み段１１の端のほうに乗っていると、エスカレータの上階曲線部１０ｄで自分の足及び履物に、刷毛体２７が当たって注意を喚起される。
【００３０】
この第２の実施形態によれば、刷毛体の毛が２種類の硬さを有するものなので、乗客は足（履物）に一様でない変化のある抵抗を感じ、第１の実施形態よりも乗客が注意を喚起される度合いが強いという利点がある。
【００３１】
この第２の実施形態では、刷毛体は２種の硬さの刷毛を有していたが、３種以上の硬さの刷毛を有する刷毛体であってもよい。
【００３２】
本発明の第３の実施形態を図５（ａ）（ｂ）に示す。この実施形態における刷毛体３７は、長さが異なる刷毛から成っている。この実施形態においても、刷毛体３７は少なくともエスカレータの上階曲線部１０ｄ及び下階曲線部１０ｅにおいて、踏み段の移動方向に対して対向する斜め方向に向けて突出して設けられている。
【００３３】
即ち、エスカレータの上階曲線部１０ｄでは、図５（ａ）に示すように、踏み段１１の移動方向ＵＰに対する垂直方向に対してθ１だけ逆方向（下方向）に向けて設けられている。
【００３４】
また、エスカレータの下階曲線部１０ｅでは、図５（ａ）に示すように、踏み段１１の移動方向ＤＯＷＮに対する垂直方向に対してθ２だけ逆方向（上方向）に向けて設けられている。
【００３５】
この第３の実施形態によれば、太さ一定の刷毛を有する刷毛体を用いて、一様でなく変化のある刺激を乗客の足（履物）に伝えることができ、第１の実施形態よりも乗客が注意を喚起される度合いが強いという利点がある。したがって、乗客が踏み段１１とスカートガード１２の間に形成されるわずかな隙間に近づかなくなり、乗客の足、履物や落下した携行物がこの隙間に挟まれるおそれは更に少なくなる。
【００３６】
この実施形態の刷毛は、先の第２の実施形態と組み合わせて、硬さの異なる刷毛を用いることも可能である。
【００３７】
本発明の第４の実施形態を図６（ａ）（ｂ）に示す。この実施形態における刷毛体４７は、長さが山形に変化する刷毛から成っている。この実施形態においても、刷毛体４７は少なくともエスカレータの上階曲線部１０ｄ及び下階曲線部１０ｅにおいて、踏み段の移動方向に対して対向する斜め方向に向けて突出して設けられている。
【００３８】
即ち、エスカレータの上階曲線部１０ｄでは、図６（ａ）に示すように、踏み段１１の移動方向ＵＰに対する垂直方向に対してθ１だけ逆方向（下方向）に向けて設けられている。
【００３９】
また、エスカレータの下階曲線部１０ｅでは、図６（ａ）に示すように、踏み段１１の移動方向ＤＯＷＮに対する垂直方向に対してθ２だけ逆方向（上方向）に向けて設けられている。この実施形態の刷毛は、先の第２の実施形態と組み合わせて、硬さの異なる刷毛を用いることも可能である。
【００４０】
この第４の実施形態によれば、刷毛が山形形状に変化しているので、図４や図５に示す実施形態の場合よりも更に一様でなく変化のある刺激を乗客の足（履物）に伝えることができ、これらの実施形態よりも乗客が注意を喚起される度合いが更に強いという利点がある。したがって、乗客は踏み段とスカートガードの間に形成されるわずかな隙間に近づかなくなり乗客の足、履物や落下した携行物がこの隙間に挟まれるおそれは更に少なくなる。
【００４１】
ところで、本発明のエスカレータに乗客への注意喚起のために用いられる刷毛体は、踏み段の移動方向に対して垂直方向に突出する刷毛を有する刷毛体であってもよい。この実施形態の刷毛は、先の第２の実施形態と組み合わせて、硬さの異なる刷毛を用いることも可能である。
【００４２】
このような本発明の第５の実施形態を図７（ａ）（ｂ）に示す。この実施形態における刷毛体５７は、図６（ａ）（ｂ）と同様に長さが山形に変化する刷毛であるが、刷毛の突出方向は踏み段の移動方向に対して垂直方向になっている。
【００４３】
この実施形態においても、刷毛体５７は少なくともエスカレータの上階曲線部１０ｄ及び下階曲線部１０ｅにおいて、踏み段の移動方向に対して垂直方向に突出して設けられている。
【００４４】
この実施形態によれば、上階曲線部１０ｄ及び下階曲線部１０ｅにおいて複雑な刺激をエスカレータの足及び履物に与え乗客の注意を喚起することが可能となる利点がある。
【００４５】
移動方向に対して垂直方向に突出させる刷毛の形状としては、山形だけでなく、図４、図５に示した実施形態のように、硬さが２種類あるいはそれ以上に異なる刷毛を用いる形状、長さの異なる形状を採用することも可能である。このような刷毛を有する刷毛体をエスカレータの移動方向に対して垂直に基台に取り付けて安全装置を構成する。
【００４６】
上記実施形態では、エスカレータの踏み段が斜め上方向に移動するときの上階曲線部及び踏み段が斜め下方向に移動するときの下階曲線部に、所定の方向に向けた刷毛体を設けたものについて説明した。しかし、一般に、エスカレータの上りと下りは変更可能となっており、この場合には、刷毛体の刷毛の向きを、上階曲線部においては下階側に向けて設けるとともに下階曲線部においては上階側に向けておけば、エスカレータが上り方向のときは上階曲線部に設けた刷毛体により乗客は注意を喚起されエスカレータが下り方向のときは下階曲線部に設けた刷毛体により乗客は注意を喚起されることになる。
【００４７】
なお、上部水平路、下部水平路及び傾斜路においては、刷毛体を設けなくてもあるいは刷毛の向きを移動方向に対して垂直方向に向けてよい。
【００４８】
刷毛の向きを、上部水平路においては上階曲線部と同じ方向に、下部水平路においては下階曲線部と同じ方向に、また傾斜路においては、踏み段の移動方向に垂直な方向にした刷毛体を設ければ、傾斜路においても乗客の注意を喚起することができ、上部水平路及び下部水平路においても、上階曲線部、下階曲線部と同じように特に注意を喚起することができることになり、好ましい。
【００４９】
また上記実施形態では、本発明をエスカレータに適用した場合について説明した。しかし本発明はエスカレータに限られず、一般的には一方と他方の出入口で段差を有する乗客コンベアに適用可能である。
【００５０】
本発明は上記実施形態に限られず種々変形して実施可能であり、これらの変形例は本発明の技術思想を用いる限り本発明に含まれる。
【符号の説明】
【００５１】
１０・・・エスカレータ、
１０ａ・・・傾斜路、
１０ｂ・・・上部水平路、
１０ｃ・・・下部水平路、
１０ｄ・・・上階曲線部、
１０ｅ・・・下階曲線部、
１１・・・踏み段、
１１ａ・・・手摺ベルト、
１２・・・・スカートガード、
１３・・・・内レッジ、
１５・・・・安全装置、
１６・・・・基台、
１7、２７，３７，４７，５７・・・刷毛体。
【図１】
2011063422.tif 000003
【図２】
2011063422.tif 000004
【図３】
2011063422.tif 000005
【図４】
2011063422.tif 000006
【図５】
2011063422.tif 000007
【図６】
2011063422.tif 000008
【図７】
2011063422.tif 000009